(57)【特許請求の範囲】
【請求項１】
先端にＬ字形フックを形成した上方の支持バーと商品を吊り下げる下方のフックバーを互いに平行に形成したフックハンガーの前記支持バーに装着する商品前出具において、前記支持バーと前記フックバーを同時に跨ぐ長さの二股状脚部を備えた前出部材をガイドレールの内側に沿って摺動自在に挿着し、前記前出部材の上部に一端を結合したスプリングの他端を前記ガイドレールの後端に固設したエンドキャップに結合することにより前記前出部材を後方に付勢する一方、該前出部材に後端を係止したワイヤーの先端を前記ガイドレールの前端に固設したフロントキャップの前方に延出して成り、該フロントキャップに設けた係止溝に前記支持バーのＬ字形フックを係止した状態で該フロントキャップと前記エンドキャップを前記支持バーに嵌合することにより前記ガイドレールを前記支持バーの上側から装着し、前記ワイヤーを引くことにより前方へ移動する前記前出部材の脚部によって前記フックバーに吊り下げられた商品を前方へ引出し、前記ワイヤーを離すことによって前記前出部材を前記スプリングの弾力によって後方へ復帰するようにしたことを特徴とする商品前出具。
【請求項２】
前記ワイヤーは先端が屈曲されて成る二条の平行部を有し、該ワイヤーの平行部の各後端に互いに内側に屈曲された引掛片を形成して成り、前記二条の平行部の夫々は前記フロントキャップの両側に設けられたガイド孔と前記ガイドレールの両側に設けられたガイド溝に沿ってスライド自在に挿通され、前記ワイヤーの各後端の引掛片を前記前出部材の後部に引っ掛けるようにしたことを特徴とする請求項１記載の商品前出具。
【請求項３】
前記ワイヤーの先端がコ字形に屈曲された二条の平行部を有し、該ワイヤーの先端近傍を上方に曲げた折曲部が形成される一方、表示パネルの後面に前記ワイヤーの折曲部を両側から嵌合する一対の断面Ｌ形の係止片が並設されると共に前記両側の掛止片の中間上部にストッパーが突設され、前記ワイヤーの両側の平行部を互いに内側につまんで撓ませた該ワイヤーの折曲部を前記表示パネルのストッパーの下部に係止した状態で該表示パネルの両側の係止片に嵌合するようにしたことを特徴とする請求項１記載の商品前出具。
【発明の詳細な説明】
【０００１】
【発明の属する技術分野】
本発明は、既存の商品陳列用フックハンガーに後付けで装着することにより、このフックハンガーに吊り下げた多数の商品の前出し作業を容易に行うようにした商品前出具に関するものである。
【０００２】
【従来の技術】
従来から、商店等においては、種々の小物品等をパッケージに収納し、このパッケージの上部に設けられた通孔を商品陳列棚に設けたフックハンガーに挿入することにより、多数のパッケージ商品を並列状態で陳列するようにしている。
【０００３】
この種のフックハンガーの従来例を説明すると、図１７に示すように、後端がコ字形に折曲されて成る上方の支持バー３２と下方のフックバー３３を略平行に有するダブルフックハンガーが構成され、フックバー３３の後端下部にはコ字形金具３４が固設され、このコ字形金具３４を陳列棚の後方に設けられた断面四角形の水平金具３５に挿着することにより、支持バー３２とフックバー３３を水平に支持して陳列棚の前方に張り出した状態にしている。
【０００４】
また、支持バー３２の先端には上方に屈曲したＬ字形フック３１を形成してあり、このフック３１を表示プレート３９の後部に形成された挿通孔３９ａに挿着するようにしている。
【０００５】
このような構成において、上方の支持バー３２の後方に、パッケージ商品４０の品切れを表示した品切れ表示ストッパー３６の上部の円弧形弾性片３７（図１６参照）を挿着し、次いで下方のフックバー３３にパッケージ商品４０の通孔４０ａを順次挿入するようにしている。
【０００６】
【発明が解決しようとする課題】
このようなパッケージ商品の陳列においては、下方のフックバーに数多くのパッケージ商品を配列しておくため、パッケージ商品を最前列から取り出すと、他のパッケージ商品が後方に陳列された状態になるため、これらの後方のパッケージ商品を前方に引き出す必要がある。
【０００７】
そのため従来から、先端をＬ字形に曲げた棒状の前出用具で後方に陳列されたパッケージ商品を引っ掛けて前方へ引き出す作業を行っていたのであるが、すぐ隣にも他のパッケージ商品を同様に陳列している状況においては、上記の前出用具の使用が困難であり、思わぬ手間を要していたのである。
【０００８】
また、このような前出作業の手間をなくすために、フックハンガーに商品の前出し機能を備えるように構成したものが案出されているが、図１７に示すような既存のフックハンガーを加工することなく構成したものは皆無であった。
【０００９】
本発明は、上記の事情に鑑みて成されたもので、従来の商品陳列用フックハンガーを全く無加工の状態で、後付けによって取り付けることによりフックハンガーに吊り下げた商品の前出し作業を容易に行うようにした商品前出具を提供することを目的とする。
【００１０】
【課題を解決するための手段】
上記の目的を達成するために、本発明の商品前出具は、先端にＬ字形フックを形成した上方の支持バーと商品を吊り下げる下方のフックバーを互いに平行に形成したフックハンガーの前記支持バーに装着する商品前出具において、前記支持バーと前記フックバーを同時に跨ぐ長さの二股状脚部を備えた前出部材をガイドレールの内側に沿って摺動自在に挿着し、前記前出部材の上部に一端を結合したスプリングの他端を前記ガイドレールの後端に固設したエンドキャップに結合することにより前記前出部材を後方に付勢する一方、該前出部材に後端を係止したワイヤーの先端を前記ガイドレールの前端に固設したフロントキャップの前方に延出して成り、該フロントキャップに設けた係止溝に前記支持バーのＬ字形フックを係止した状態で該フロントキャップと前記エンドキャップを前記支持バーに嵌合することにより前記ガイドレールを前記支持バーの上側から装着し、前記ワイヤーを引くことにより前方へ移動する前記前出部材の脚部によって前記フックバーに吊り下げられた商品を前方へ引出し、前記ワイヤーを離すことによって前記前出部材を前記スプリングの弾力によって後方へ復帰するようにしたものである。
【００１１】
また、前記ワイヤーは先端が屈曲されて成る二条の平行部を有し、該ワイヤーの平行部の各後端に互いに内側に屈曲された引掛片を形成して成り、前記二条の平行部の夫々は前記フロントキャップの両側に設けられたガイド孔と前記ガイドレールの両側に設けられたガイド溝に沿ってスライド自在に挿通され、前記ワイヤーの各後端の引掛片を前記前出部材の後部に引っ掛けるようにするのが好ましい。
【００１２】
さらに、前記ワイヤーの先端がコ字形に屈曲された二条の平行部を有し、該ワイヤーの先端近傍を上方に曲げた折曲部が形成される一方、表示パネルの後面に前記ワイヤーの折曲部を両側から嵌合する一対の断面Ｌ形の係止片が並設されると共に前記両側の掛止片の中間上部にストッパーが突設され、前記ワイヤーの両側の平行部を互いに内側につまんで撓ませた該ワイヤーの折曲部を前記表示パネルのストッパーの下部に係止した状態で該表示パネルの両側の係止片に嵌合するようにしてもよい。
【００１３】
【発明の実施の形態】
以下、本発明の実施例について図面を参照しながら説明する。
【００１４】
図１は本発明による商品前出具をフックハンガーに装着している状態を示す斜視図である。図２は本発明による商品前出具をフックハンガーに装着した状態を示す斜視図である。図３は本発明による商品前出具を示す分解側面図である。図４は本発明の商品前出具をフックハンガーに装着した上面図である。図５は本発明の商品前出具をフックハンガーに装着した側面図である。図６は本発明の商品前出具をフックハンガーに装着した前面図である。図７は本発明によるワイヤーの斜視図である。図８(a) は本発明によるワイヤーに表示パネルを挿着した状態を示す前面図であり、図８(b) はその上面図である。図９(a) 及び(b) は本発明によるガイドレールの端面図及び側面図である。図１０(a) 乃至(f) は本発明によるフロントキャップの上面図、断面図、先端側端面図、側面図、ガイドレール側端面図、下面図である。図１１は本発明によるガイドレールの先端にフロントキャップを固設する状況を示す部分断面図である。図１２(a) 乃至(c) は本発明による前出部材の上面図、正面図、側面図である。図１３は図１２の前出部材を図９のガイドレール内に挿着した状態を示す端面図である。図１４(a) 乃至(f) は本発明によるエンドキャップの上面図、断面図、後端側端面図、側面図、ガイドレール側端面図、下面図である。図１５は本発明によるガイドレールの後端にエンドキャップを固設する状況を示す部分断面図である。図１６(a) 乃至(c) はフックハンガーに挿着する品切れ表示ストッパーの正面図、側面図、後面図である。
【００１５】
図１に示す商品陳列用フックハンガー３０は、一本の棒部材を後端でコ字形に屈曲すると共に、先端にＬ字形フック３１を形成した上方の支持バー３２と多数の商品を吊り下げる下方のフックバー３３を互いに平行に形成して成り、フックバー３３の後端下部にコ字形金具３４を固設している。このコ字形金具３４を陳列棚の後方に設けられた断面四角形の水平金具３５（図５参照）に挿着することにより、支持バー３２とフックバー３３を水平に支持した状態で陳列棚の前方に張り出させるようにしている。
【００１６】
また、支持バー３２には「到着待ち」と表示された陳列商品の品切れを表示する品切れ表示ストッパー３６を挿着してある。この品切れ表示ストッパー３６は、図１６に示すようにその上部に開口３７ａを有する円弧形弾性片３７を有し、この円弧形弾性片３７を支持バー３２に着脱自在に挿着すると共に、品切れ表示ストッパー３６のパネル面に設けられた縦長の通孔３８をフックバー３３に挿入し、支持バー３２に沿って品切れ表示ストッパー３６を前後移動することができるようにしている。
【００１７】
なお、品切れ表示ストッパー３６の通孔３８が縦長に形成されたのは、フックハンガー３０の上方の支持バー３２と下方のフックバー３３の離間幅の変化に対応させるためである。
【００１８】
本発明の商品前出具１は、図２に示すように、上記のフックハンガー３０の上方の支持バー３２に装着するだけで使用することができる。
【００１９】
即ち、図３に示すように、支持バー３２とフックバー３３を同時に跨ぐ長さの二股状脚部３ｃ、３ｃを備えた前出部材３（図１２参照）をガイドレール４（図９参照）の内側に沿って摺動自在に挿着し、前出部材３に一端を結合したスプリング５の他端をガイドレール４の後端に固設したエンドキャップ６に結合することにより前出部材３を後方に付勢する一方、前出部材３の上部に係止したワイヤー７の先端をガイドレール４の前端に固設したフロントキャップ８の前方に延出して成り、該フロントキャップ８に形成された係止溝８ｄに支持バー３２のＬ字形フック３１を係止した状態で該フロントキャップ８とエンドキャップ６を支持バー３２に嵌合することによりガイドレール４を支持バー３２の上側から装着することができるようにしている。
【００２０】
以下、上記の本発明の商品前出具１をより詳細に説明する。
【００２１】
図７に示すように、ワイヤー７は先端がコ字形（またはＵ字形）に屈曲された二条の平行部７ａ、７ａを有し、平行部７ａ、７ａの各後端に互いに内側に折曲された引掛片７ｃ、７ｃを形成してあり、該ワイヤー７の先端部を上方に折曲した折曲部７ｂに図８の表示パネル１１を挿着するようにしている。
【００２２】
即ち、図８（ａ）及び（ｂ）において、表示パネル１１は四角形のプラスチック板から成り、この板の後面にワイヤー７の折曲部７ｂを両側から嵌合する一対の断面Ｌ形の係止片１１ａ、１１ａが並設されると共に、両側の係止片１１ａ、１１ａの中間上部にストッパー１１ｂが突出形成されている。そして、このようなワイヤー７の両側の平行部７ａ、７ａを互いに内側につまんで撓ませた該ワイヤー７の折曲部７ｂを表示パネル１１のストッパー１１ｂの下部に係止した状態で該表示パネル１１の両側の係止片１１ａ、１１ａに嵌合し、ストッパー１１ｂによってワイヤー７の折曲片７ｂが下方へ離脱することを防止している。
【００２３】
また、図８（ｂ）に示すように、表示パネル１１の前面には透明薄板１２が着脱自在に装着され、透明薄板１２と表示パネル１１の間に陳列された商品の名前等を記載した用紙を挿入するようにしている。
【００２４】
なお、表示パネル１１はワイヤー７の折曲片７ｂに挿着せず、従来のようにフックハンガー３０のフックバー３２におけるＬ字形フック３１に挿着するようにしてもよい。この場合、ワイヤー７に折曲片７ｂを形成する必要がなく、先端をコ字形（またはＵ字形）に折り曲げた形状のまま平行前方に延出させ、後述するように前出部材８を前方に引き出す際には、この前方に延出されたワイヤー７のコ字形（またはＵ字形）の先端部を引っ張るようにしてもよい。
【００２５】
図９(a) 及び(b) に示すガイドレール４は、図９(a) の端面図で示すように下部に開口部１３が設けられ、このガイドレール４の両側下部に図７のワイヤー７の平行部７ａ、７ａを内側から収納して挿通するための下部ガイド溝４ａ、４ａが形成され、ガイドレール４の中間部両側には後述する図１２の前出部材３の両側の案内片３ａ、３ａを摺動自在に挿通する円弧形の中間ガイド溝４ｂ、４ｂが形成され、またガイドレール４の上部には図１２の前出部材３の突出片３ｂを収納する曲面形の上部ガイド溝４ｃが形成されている。これらの下部ガイド溝４ａ、４ａと中間ガイド溝４ｂ、４ｂと下部ガイド溝４ｃはいずれもガイドレール４の内側の全長にわたって形成されている。
【００２６】
なお、商品前出具１はフックハンガー３０の支持バー３２よりもやや短い長さに形成すればよいが、既存のフックハンガー３０の支持バー３２の長さが異なる場合、これに対応して予めガイドレール４及びワイヤー７の長さを変更することも可能である。
【００２７】
即ち、ガイドレール４を合成樹脂の押出成形によって長尺に作成しておき、既存のフックハンガー３０の支持バー３２の長さに応じてガイドレール４の成型品を必要な長さに切断すればよい。また、ガイドレール４の長さに応じてワイヤー７も必要な長さに切断すればよい。
【００２８】
また、図１０(a) 乃至(f) に示すフロントキャップ８はガイドレール４の先端に固着するもので、このフロントキャップ８の内端側はガイドレール４の外形に沿った外形を有すると共に、この端部外周にはガイドレール４の先端外周を係止するフランジ８ａが形成されている。
【００２９】
また、フロントキャップ８の下端には開口１４が設けられると共に、内端側に開口１４を連続的に有する円弧形の嵌合片８ｂを形成してあり、開口１４をフックハンガー３０の支持バー３２に挿着する際、支持バー３２の押圧によって嵌合ク８ｂの開口１４の内径を押し広げて嵌合片８ｂ内に支持バー３２を挿着するようにしている。
【００３０】
さらに、フロントキャップ８の両側下部には図７のワイヤー７の平行部７ａ、７ａを夫々挿通するガイド孔８ｃ、８ｃが形成されている。このガイド孔８ｃ、８ｃは、図１０(c) 又は(e) に示すように横長に形成され、ワイヤー７の引掛片７ｃ、７ｃをそのまま挿通し得るようにしている。
【００３１】
また、フロントキャップ８の内部には、図１１に示すように嵌合片８ｂに支持バー３２を挿着した状態でこの支持バー３２の先端のＬ字形フック３１を係止して回り止めを成す係止溝８ｄが形成されている。
【００３２】
なお、既存のフックハンガー３０において、先端のＬ字形フック３１は直角に折曲されたものだけではなく前方傾斜状に折曲されたものもあり、この場合は、フロントキャップ８の係止溝８ｄも上記の傾斜状フックを挿着するのに適する形状とするのがよい。
【００３３】
そして、図１１に示すように、ワイヤー７の折曲片７ｂを表示パネル１１の係止片１１ａ、１１ａに挿着した状態で、ワイヤー７の後端の引掛片７ｃ、７ｃをフロントキャップ８の両側下部のガイド孔８ｃ、８ｃに挿通して、ワイヤー７の両側の平行部材７ａ、７ａをガイドレール４の下部ガイド溝４ａ、４ａに挿通し、ガイドレール４の先端をフロントキャップ８のフランジ８ａ内の後端に接着剤等で固着する。
【００３４】
また、図１２(a) 乃至(c) に示した前出部材３は、支持バー３２とフックバー３３を同時に跨ぐ長さの二股状脚部３ｃ、３ｃを備え、この前出部材３の上部の両端に図１２(c) のように横幅を有する案内片３ａ、３ａを形成してあり、さらにこの前出部材３の上端には突出片３ｂが形成され、この突出片３ｂにはスプリング５の一端のフックを引っ掛ける凹溝９が形成されている。
【００３５】
そして、図１３に示すように、ワイヤー７の両側の平行部７ａ、７ａをガイドレール４の両側の下部ガイド溝４ａ、４ａに挿通し、前出部材３の案内片３ａ、３ａをガイドレール４の中間ガイド溝４ｂ、４ｂに挿入すると共に、前出部材３の突出片３ｂをガイドレール４の上部ガイド溝４ｃに挿入すると、ワイヤー７の後端の引掛片７ｃ、７ｃで前出部材３の端面を引っ掛けた状態にすることができる。
【００３６】
また、図１４(a) 乃至(f) に示すエンドキャップ６はガイドレール４の先端に固設するもので、このエンドキャップ６の内端側はガイドレール４の外形に沿った外形を有すると共にこの端部外周にガイドレール４の先端外周を係止するフランジ６ａが形成されている。
【００３７】
また、エンドキャップ６の下端には、開口１６が設けられると共に内端側に開口１６を連続的に有する円弧形の嵌合片６ｂを形成してあり、開口１６を支持バー３２に挿着する際、支持バー３２の押圧によって嵌合片６ｂの開口１６の内径を押し広げて嵌合片６ｂ内に支持バー３２を挿着するようにしてある。
【００３８】
さらに、図７（ｅ）に示すように、エンドキャップ６の両側下部には図７のワイヤー７の折曲片７ｃ、７ｃを夫々挿着するガイド孔６ｃ、６ｃが形成されている。
【００３９】
また、図７（ｂ）に示すように、エンドキャップ６の後面にはスプリング５の後端を係止する係止孔６ｄが形成され、図１５に示すように、前出部材３の突出片３ｂの凹溝９に一端を係止したスプリング５の他端をエンドキャップ６の開口１６から係止孔６ｄに係止する。
【００４０】
このような構成を有するエンドキャップ６を、図１１に示すようにガイドレール４の後端に接着剤等により固着すると、図１に示すような一個の商品前出具１が形成される。
【００４１】
以上の構成による本発明の商品前出具１は、図４乃至図６に示すように、フロントキャップ８に設けられた係止溝８ｄを支持バー３２のＬ字形フック３１で係止した状態にして該フロントキャップ８の開口１４とエンドキャップ６の開口１６を支持バー３２に嵌合することにより、ガイドレール４の開口１３を支持バー３２の上側から挿着することができ、図２のように支持バー３２に商品前出具１を後付けで装着すること可能となる。
【００４２】
そして、図５に示すように、ワイヤー７の先端に設けた表示パネル１１を引くことにより前方に移動する前出部材３の脚部３ｃ、３ｃによってフックバー３３に吊り下げた多数のパッケージ商品４０を前方へ引出し、表示パネル１１を離すことによって前出部材３をスプリング５の弾力によって後方へ復帰させることができる。
【００４３】
なお、上記の説明において、フックハンガー３０のフックバー３３に吊り下げる商品としては、パッケージ商品４０のほかに、他の吊り下げ用フック付き商品を適用することも可能である。
【００４４】
【発明の効果】
以上説明したように、本発明の商品前出具は、既存の商品陳列用フックハンガーを全く加工することなく、このフックハンガーの上方の支持バーに装着するだけで取付けることができるため、既存のフックハンガーをそのまま利用して簡易な商品の前出し機能を付加することが可能となる。
【００４５】
また、商品の前出を行うには、商品の残量に応じてワイヤーの先端（または表示パネル）を引き出すだけで、ワイヤーを介して前方に移動した前出部材がフックハンガーに吊り下げられたパッケージ商品を前方に引き出すことが可能であり、またワイヤーの先端（または表示パネル）を離すと、内蔵されたスプリングの弾性力により、前出部材を元の後方位置に復帰させることが可能である。
【図面の簡単な説明】
【図１】図１は本発明による商品前出具をフックハンガーに装着している状態を示す斜視図である。
【図２】図２は本発明による商品前出具をフックハンガーに装着した状態を示す斜視図である。
【図３】図３は本発明による商品前出具を示す分解側面図である。
【図４】図４は本発明の商品前出具をフックハンガーに装着した上面図である。
【図５】図５は本発明の商品前出具をフックハンガーに装着した側面図である。
【図６】図６は本発明の商品前出具をフックハンガーに装着した前面図である。
【図７】図７は本発明によるワイヤーの斜視図である。
【図８】図８(a) は本発明によるワイヤーに表示パネルを挿着した状態を示す前面図であり、図８(b) はその上面図である。
【図９】図９(a) 及び(b) は本発明によるガイドレールの端面図及び側面図である。
【図１０】図１０(a) 乃至(f) は本発明によるフロントキャップの上面図、断面図、先端側端面図、側面図、ガイドレール側端面図、下面図である。
【図１１】図１１は本発明によるガイドレールの先端にフロントキャップを固設する状況を示す部分断面図である。
【図１２】図１２(a) 乃至(c) は本発明による前出部材の上面図、正面図、側面図である。
【図１３】図１３は図１２の前出部材を図９のガイドレール内に挿着した状態を示す端面図である。
【図１４】図１４(a) 乃至(f) は本発明によるエンドキャップの上面図、断面図、後端側端面図、側面図、ガイドレール側端面図、下面図である。
【図１５】図１５は本発明によるガイドレールの後端にエンドキャップを固設する状況を示す部分断面図である。
【図１６】図１６(a) 乃至(c) はフックハンガーに挿着する品切れ表示ストッパーの正面図、側面図、後面図である。
【図１７】図１７は従来のフックハンガーに商品を吊り下げた状態を示す側面図である。
【符号の説明】
１…商品前出具、  ３…前出部材、３ａ…案内片、３ｂ…突出片、
３ｃ…二股状脚部、４…ガイドレール、４ａ…下部ガイド溝、
４ｂ…中間ガイド溝、４ｃ…上部  ガイド溝、５…スプリング、
６…エンドキャップ、６ａ…フランジ、６ｂ…嵌合片、６ｃ…ガイド孔、
６ｄ…係止孔、７…ワイヤー、７ａ…平行部、７ｂ…折曲部、７ｃ…引掛片、
８…フロントキャップ、８ａ…フランジ、８ｂ…嵌合片、８ｃ…ガイド孔、
８ｄ…係止溝、９…凹溝、１１…表示パネル、１１ａ…係止片、
１１ｂ…ストッパー、１２…透明薄板、  １３…ガイドレールの開口、
１４…フロントキャップの開口、  １６…エンドキャップの開口、
３０…フックハンガー、３１…Ｌ字形フック、  ３２…支持バー、
３３…フックバー、３４…コ字形金具、  ３７…円弧形弾性片、
３５…水平金具、３６…品切れ表示ストッパー、３８…通孔、
４０…パッケージ商品、４０ａ…通孔。
【図１】
0004025899.tif 000002
【図２】
0004025899.tif 000003
【図３】
0004025899.tif 000004
【図４】
0004025899.tif 000005
【図５】
0004025899.tif 000006
【図６】
0004025899.tif 000007
【図７】
0004025899.tif 000008
【図８】
0004025899.tif 000009
【図９】
0004025899.tif 000010
【図１０】
0004025899.tif 000011
【図１１】
0004025899.tif 000012
【図１２】
0004025899.tif 000013
【図１３】
0004025899.tif 000014
【図１４】
0004025899.tif 000015
【図１５】
0004025899.tif 000016
【図１６】
0004025899.tif 000017
【図１７】
0004025899.tif 000018